(57)【要約】【課題】本発明は、一定エリアに加入者が集中した場合に発信不可状態となることを低減する移動通信システムの位置登録方法及びその装置を提供することを目的とする。【解決手段】在圏加入者管理装置で、移動端末からのセル情報が設定された位置登録要求を受信したとき、管理テーブルの移動端末に対応する交換局の位置登録許容毎数及び位置登録数から前記移動端末に対応する交換局における在圏許容か否かを判定し、在圏許容されないとき一時拒否を設定して移動端末に対し位置登録拒否応答を行い、移動端末で、在圏加入者管理装置から位置登録拒否応答を受信し他の無線基地局からセル情報を受信しているとき他の無線基地局からのセル情報を位置登録要求に設定して再送し、他の無線基地局からセル情報を受信していないとき強制位置登録指示情報と任意のセル情報を位置登録要求に設定して送信する。【選択図】図８
2008177743.tif 000002
【特許請求の範囲】
【請求項１】
移動通信システムの位置登録方法において、
移動端末で、無線基地局から受信したセル情報を位置登録要求に設定して送信し、
在圏加入者管理装置で、前記移動端末からのセル情報が設定された位置登録要求を受信したとき、交換局毎及び制御局毎の位置登録許容毎数及び位置登録数と移動端末毎のセル情報を管理する管理テーブルの前記移動端末に対応する交換局の位置登録許容毎数及び位置登録数から前記移動端末に対応する交換局における在圏許容か否かを判定し、
在圏許容されたとき前記管理テーブルの前記移動端末に対応する交換局毎及び制御局毎の位置登録数と移動端末毎のセル情報を更新し、
在圏許容されないとき一時拒否を設定して前記移動端末に対し位置登録拒否応答を行い、
前記移動端末で、前記在圏加入者管理装置から位置登録拒否応答を受信し他の無線基地局からセル情報を受信しているとき前記他の無線基地局からのセル情報を位置登録要求に設定して再送し、
前記在圏加入者管理装置から位置登録拒否応答を受信し他の無線基地局からセル情報を受信していないとき強制位置登録指示情報と任意のセル情報を位置登録要求に設定して送信し、
前記在圏加入者管理装置で、強制位置登録指示情報が設定された位置登録要求を受信したとき前記管理テーブルの前記移動端末に対応する交換局毎及び制御局毎の位置登録数と移動端末毎のセル情報を更新し、
強制位置登録指示情報が設定された位置登録要求を送信した移動端末と同一のセルに在圏する他の移動端末に対し新規登録のページング要求を行い、
前記移動端末で、前記在圏加入者管理装置から新規登録のページング要求を受信したとき任意の無線基地局から受信したセル情報を位置登録要求に設定して送信する
ことを特徴とする移動通信システムの位置登録方法。
【請求項２】
移動通信システムの移動端末において、
無線基地局から受信したセル情報を位置登録要求に設定して送信する位置登録要求手段を
有することを特徴とする移動端末。
【請求項３】
移動通信システムの在圏加入者管理装置において、
交換局毎及び制御局毎の位置登録許容毎数及び位置登録数と移動端末毎のセル情報を管理する管理テーブルと、
前記移動端末からのセル情報が設定された位置登録要求を受信したとき前記管理テーブルの前記移動端末に対応する交換局の位置登録許容毎数及び位置登録数から前記移動端末に対応する交換局における在圏許容か否かを判定するノード能力判定手段と、
前記ノード能力判定手段で在圏許容されたとき前記管理テーブルの前記移動端末に対応する交換局毎及び制御局毎の位置登録数と移動端末毎のセル情報を更新する更新手段と、
前記ノード能力判定手段で在圏許容されないとき一時拒否を設定して前記移動端末に対し位置登録拒否応答を行う応答手段を
有することを特徴とする在圏加入者管理装置。
【請求項４】
請求項２記載の移動端末において、
前記在圏加入者管理装置から位置登録拒否応答を受信し他の無線基地局からセル情報を受信しているとき前記他の無線基地局からのセル情報を位置登録要求に設定して再送する再位置登録要求手段と、
前記在圏加入者管理装置から位置登録拒否応答を受信し他の無線基地局からセル情報を受信していないとき強制位置登録指示情報と任意のセル情報を位置登録要求に設定して送信する強制位置登録要求手段を
有することを特徴とする移動端末。
【請求項５】
請求項３記載の在圏加入者管理装置において、
強制位置登録指示情報が設定された位置登録要求を受信したとき前記管理テーブルの前記移動端末に対応する交換局毎及び制御局毎の位置登録数と移動端末毎のセル情報を更新する強制更新手段と、
強制位置登録指示情報が設定された位置登録要求を送信した移動端末と同一のセルに在圏する他の移動端末に対し新規登録のページング要求を行うページング要求手段を
有することを特徴とする在圏加入者管理装置。
【請求項６】
請求項４記載の移動端末において、
前記在圏加入者管理装置から新規登録のページング要求を受信したとき任意の無線基地局から受信したセル情報を位置登録要求に設定して送信する新規位置登録要求手段を
有することを特徴とする移動端末。
【請求項７】
移動通信システムの交換局において、
移動端末からのセル情報又は強制位置登録指示情報が設定された位置登録要求を受信し、前記セル情報又は強制位置登録指示情報を前記位置登録要求に再設定して在圏加入者管理装置に送信する位置登録要求送受信手段を
有することを特徴とする交換局。
【発明の詳細な説明】
【技術分野】
【０００１】
本発明は、移動通信システムの位置登録方法及びその装置に関し、移動通信システムで移動端末の位置登録を行う方法及びその装置に関する。
【背景技術】
【０００２】
図１は、従来の移動通信システムにおける位置登録方法の一例の動作シーケンスを示す。同図中、移動端末１からの位置登録要求は、ＲＮＣ（Ｒａｄｉｏ  Ｎｅｔｗｏｒｋ  Ｃｏｎｔｒｏｌｌｅｒ）２、ＭＳＣ（Ｍｏｂｉｌｅ  Ｓｗｉｔｃｈｉｎｇ  Ｃｅｎｔｅｒ）３を経てＶＬＲ（Ｖｉｓｉｔｏｒ  Ｌｏｃａｔｉｏｎ  Ｒｅｇｉｓｔｅｒ：在圏加入者管理装置）４に到達する。
【０００３】
ＶＬＲ４は上記の位置登録が可能であるか否かを判定し、位置登録が許容される場合には位置登録を行って移動端末１に位置登録完了を通知し、位置登録が許容されない場合には移動端末１に位置登録不可を通知する。
【０００４】
従来の移動通信システムでは、移動端末の位置登録を行う在圏加入者の数は、在圏網の位置登録データベースであるＶＬＲの能力に依存しており、位置登録を行う際に呼処理と連動した規制は何ら行われていない。
【０００５】
なお、特許文献１には、移動器の位置情報と通信状況を記憶するホームメモリへの総アクセスと、ホームメモリの呼処理能力に関するトラフィック情報との比較結果に基づき、関係する複数の各交換機に対して規制処理を行うことが記載されている。
【特許文献１】特開平１０−２８５２７６号公報
【発明の開示】
【発明が解決しようとする課題】
【０００６】
在圏加入者の発信（又は着信）のための位置登録が一定時間に集中すると、ＭＳＣ及びＲＮＣ等の交換機の能力を超え、発信不可又は交換機障害を誘発するおそれがある。
【０００７】
また、加入者の在圏位置は基本的に受信電波の強さと人の移動に依存するため、一定エリアに加入者が集中することがあり、この場合、ＢＴＳ（Ｂａｓｅ  Ｔｒａｎｓｃｅｉｖｅｒ  Ｓｔａｔｉｏｎ）やＲＮＣの能力を超え発信不可状態になるという問題があった。
【０００８】
更に、従来のＭＳＣ及びＲＮＣ等の交換機で管理するセル情報は、メモリ容量の不足により上位階梯であるＶＬＲでは管理していない。
【０００９】
本発明は、上記の点に鑑みなされたものであり、一定エリアに加入者が集中した場合に発信不可状態となることを低減する移動通信システムの位置登録方法及びその装置を提供することを目的とする。
【課題を解決するための手段】
【００１０】
本発明の一実施態様による位置登録方法は、移動通信システムの位置登録方法において、
移動端末で、無線基地局から受信したセル情報を位置登録要求に設定して送信し、
在圏加入者管理装置で、前記移動端末からのセル情報が設定された位置登録要求を受信したとき、交換局毎及び制御局毎の位置登録許容毎数及び位置登録数と移動端末毎のセル情報を管理する管理テーブルの前記移動端末に対応する交換局の位置登録許容毎数及び位置登録数から前記移動端末に対応する交換局における在圏許容か否かを判定し、
在圏許容されたとき前記管理テーブルの前記移動端末に対応する交換局毎及び制御局毎の位置登録数と移動端末毎のセル情報を更新し、
在圏許容されないとき一時拒否を設定して前記移動端末に対し位置登録拒否応答を行い、
前記移動端末で、前記在圏加入者管理装置から位置登録拒否応答を受信し他の無線基地局からセル情報を受信しているとき前記他の無線基地局からのセル情報を位置登録要求に設定して再送し、
前記在圏加入者管理装置から位置登録拒否応答を受信し他の無線基地局からセル情報を受信していないとき強制位置登録指示情報と任意のセル情報を位置登録要求に設定して送信し、
前記在圏加入者管理装置で、強制位置登録指示情報が設定された位置登録要求を受信したとき前記管理テーブルの前記移動端末に対応する交換局毎及び制御局毎の位置登録数と移動端末毎のセル情報を更新し、
強制位置登録指示情報が設定された位置登録要求を送信した移動端末と同一のセルに在圏する他の移動端末に対し新規登録のページング要求を行い、
前記移動端末で、前記在圏加入者管理装置から新規登録のページング要求を受信したとき任意の無線基地局から受信したセル情報を位置登録要求に設定して送信することにより、一定エリアに加入者が集中した場合に発信不可状態となることを低減することが可能となる。
【００１１】
本発明の一実施態様による移動端末は、移動通信システムの移動端末において、
無線基地局から受信したセル情報を位置登録要求に設定して送信する位置登録要求手段を有することにより、一定エリアに加入者が集中した場合に発信不可状態となることを低減することが可能となる。
【００１２】
本発明の一実施態様による在圏加入者管理装置は、移動通信システムの在圏加入者管理装置において、
交換局毎及び制御局毎の位置登録許容毎数及び位置登録数と移動端末毎のセル情報を管理する管理テーブルと、
前記移動端末からのセル情報が設定された位置登録要求を受信したとき前記管理テーブルの前記移動端末に対応する交換局の位置登録許容毎数及び位置登録数から前記移動端末に対応する交換局における在圏許容か否かを判定するノード能力判定手段と、
前記ノード能力判定手段で在圏許容されたとき前記管理テーブルの前記移動端末に対応する交換局毎及び制御局毎の位置登録数と移動端末毎のセル情報を更新する更新手段と、
前記ノード能力判定手段で在圏許容されないとき一時拒否を設定して前記移動端末に対し位置登録拒否応答を行う応答手段を有することにより、一定エリアに加入者が集中した場合に発信不可状態となることを低減することが可能となる。
【００１３】
前記移動端末において、
前記在圏加入者管理装置から位置登録拒否応答を受信し他の無線基地局からセル情報を受信しているとき前記他の無線基地局からのセル情報を位置登録要求に設定して再送する再位置登録要求手段と、
前記在圏加入者管理装置から位置登録拒否応答を受信し他の無線基地局からセル情報を受信していないとき強制位置登録指示情報と任意のセル情報を位置登録要求に設定して送信する強制位置登録要求手段を有する構成としても良い。
【００１４】
前記在圏加入者管理装置において、
強制位置登録指示情報が設定された位置登録要求を受信したとき前記管理テーブルの前記移動端末に対応する交換局毎及び制御局毎の位置登録数と移動端末毎のセル情報を更新する強制更新手段と、
強制位置登録指示情報が設定された位置登録要求を送信した移動端末と同一のセルに在圏する他の移動端末に対し新規登録のページング要求を行うページング要求手段を有する構成としても良い。
【００１５】
前記移動端末において、
前記在圏加入者管理装置から新規登録のページング要求を受信したとき任意の無線基地局から受信したセル情報を位置登録要求に設定して送信する新規位置登録要求手段を
有する構成としても良い。
【００１６】
本発明の一実施態様による交換局は、移動通信システムの交換局において、
移動端末からのセル情報又は強制位置登録指示情報が設定された位置登録要求を受信し、前記セル情報又は強制位置登録指示情報を前記位置登録要求に再設定して在圏加入者管理装置に送信する位置登録要求送受信手段を有することにより、一定エリアに加入者が集中した場合に発信不可状態となることを低減することが可能となる。
【発明の効果】
【００１７】
本発明によれば、一定エリアに加入者が集中した場合に発信不可状態となることを低減することができる。
【発明を実施するための最良の形態】
【００１８】
以下、図面に基づいて本発明の実施形態について説明する。
【００１９】
<移動通信システムの構成>
図２は、本発明が適用される移動通信システムの一実施形態の構成図を示す。同図中、移動通信システムは、移動端末（ＭＳ）１０ａ，１０ｂと、無線アクセスネットワークを構成する無線基地局（ＢＴＳ）１１ａ〜１１ｅ及び制御局（ＲＮＣ）１２ａ〜１２ｃと、コアネットワークを構成する交換局（ＭＳＣ）１３ａ，１３ｂ及びＶＬＲ（在圏加入者管理装置）１４から大略構成されている。
【００２０】
無線アクセスネットワークの無線基地局１１ａ〜１１ｅは移動端末１０ａ，１０ｂと無線接続する。無線基地局１１ａ〜１１ｅは制御局１２ａ〜１２ｃを介してコアネットワークの交換局１３ａ，１３ｂに接続されている。
【００２１】
交換局１３ａ，１３ｂは発信、着信、位置登録、ルーチング制御等の処理を行い、ＶＬＲ１４は、交換局毎及び制御局毎の位置登録許容毎数及び位置登録数と移動端末毎のセル情報を在圏加入者登録テーブルに格納して在圏加入者の管理を行う。
【００２２】
<ＭＳ，ＭＳＣ，ＶＬＲの機能構成図>
図３は、本発明に適用される移動端末の一実施形態の機能構成図を示す。同図中、移動端末（ＭＳ）１０は、新たな機能として、位置登録セル設定処理を実行する位置登録セル設定機能２０と、再位置登録要求処理を実行する再位置登録要求機能２１と、位置登録新情報設定処理を実行する強制位置登録セル設定機能２２と新規ページング機能２３を有している。
【００２３】
図４は、本発明に適用される交換局の一実施形態の機能構成図を示す。同図中、交換局１３は、新たな機能として、位置登録新情報設定処理を実行する位置登録新情報設定機能２５を有している。
【００２４】
図５は、本発明に適用されるＶＬＲの一実施形態の機能構成図を示す。同図中、ＶＬＲ１４は、新たな機能として、ＶＬＲ能力判定処理を実行するＶＬＲ能力判定機能３０と、ノード能力判定処理を実行するノード能力判定機能３１と、在圏加入者間引き処理を実行する在圏加入者間引き機能３２と、在圏加入者設定処理を実行する在圏加入者設定機能３３と、在圏加入者登録テーブル３４と、セル／ＲＮＣ変換テーブル３５とＲＮＣ／ＭＳＣ変換テーブル３６を有している。
【００２５】
<在圏加入者登録テーブルの構成>
図６は、ＶＬＲ１４の在圏加入者登録テーブル３３の一実施形態の構成図を示す。同図中、在圏加入者登録テーブルは、ＭＳＣテーブル２０ａとＲＮＣテーブル２０ｂとＭＳテーブル２０ｃからなる階層構造とされている。
【００２６】
ＭＳＣテーブル２０ａは交換局番号で検索されて、各制御局のＲＮＣテーブルアドレスと各制御局の位置登録許容数（制御局毎の固定値）と各制御局の位置登録数（可変値）が登録される。
【００２７】
ＲＮＣテーブル２０ｂはＲＮＣ番号で検索されて、各無線基地局のＭＳテーブルアドレスと各無線基地局の位置登録許容数（無線基地局毎の固定値）と無線基地局の位置登録数（可変値）が登録される。
【００２８】
ＭＳテーブル２０ｃはＭＳ番号で検索されて、ＭＳ番号に対応する移動端末が在圏するセルのセル番号が登録される。
【００２９】
<在圏加入者登録テーブルの構成>
図７（Ａ）は、ＶＬＲ１４のセル／ＲＮＣ変換テーブル３５の一実施形態の構成図を示す。同図中、セル／ＲＮＣ変換テーブル３５はセル番号で検索されて、各セルを配下に置いて管理している制御局のＲＮＣ番号が登録されている。
【００３０】
図７（Ｂ）は、ＶＬＲ１４のＲＮＣ／ＭＳＣ変換テーブル３６の一実施形態の構成図を示す。同図中、ＲＮＣ／ＭＳＣ変換テーブル３６はＲＮＣ番号で検索されて、各制御局を配下に置いて管理している交換局のＭＳＣ番号が登録されている。
【００３１】
<位置登録>
図８及び図９は、本発明の位置登録方法の一実施形態の動作シーケンスを示す。同図中、破線で囲った部分が本発明における新規な部分を示している。図８のステップＳ１で移動端末１０ａの位置登録セル設定機能２０は位置登録セル設定処理を実行する。
【００３２】
図１０は、位置登録セル設定処理のフローチャートを示す。同図中、ステップＳ４０で処理種別から位置登録であるか否かを判別し、位置登録であればステップＳ４１で受信した電波のセル番号をセル情報として位置登録要求に設定して送信する。処理種別が位置登録でない場合にはステップＳ４２で発着信等の既存の処理を実行する。
【００３３】
これにより、図８のステップＳ１で送信される位置登録要求にはセル情報が設定されてＢＴＳ１１ｃ，ＲＮＣ１２ｂを経てＭＳＣ１３ａに供給される。ここで、ＲＲＣ（ＭＭ）プロトコルの位置登録要求に設定されるパラメータ情報を図１１（Ａ）に示す。位置登録要求は、プロトコルディスクリミネータ〜ＰＤＰコンテキストステータスまでの既存情報に加えてセル情報と強制フラグがパラメータとして設けられており、このセル情報として受信セル番号が設定される。
【００３４】
ＭＳＣ１３ａは上記の位置登録要求を受信すると、位置登録新情報設定機能２５が図８のステップＳ２で位置登録新情報設定処理を実行する。
【００３５】
図１２は、位置登録新情報設定処理のフローチャートを示す。同図中、ステップＳ４５で受信信号の処理種別から位置登録要求であるか否かを判別し、位置登録要求であればステップＳ４６で受信した位置登録要求にセル情報及び／又は強制フラグが設定されているか否かを判別する。図１１（Ａ）に示す位置登録要求にセル情報及び／又は強制フラグが設定されている場合にはステップＳ４７でこのセル情報及び／又は強制フラグを図１３（Ａ）に示すＭＡＰプロトコルの位置登録要求に設定して送信する。処理種別が位置登録でない場合にはステップＳ４８で発着信等の既存の処理を実行する。ここで、図１３（Ａ）に示すＭＡＰプロトコルの位置登録要求にはセル情報と強制フラグとユーザエラー（一時拒否）がパラメータとして設けられている。
【００３６】
これにより、図８のステップＳ２で送信される位置登録要求にはセル情報及び／又は強制フラグが再設定されてＶＬＲ１４に供給される。
【００３７】
ＶＬＲ１４のＶＬＲ能力判定機能３０は上記の位置登録要求を受信すると、ステップＳ３でＶＬＲ能力判定機能３０はＶＬＲ能力判定処理を実行し、自装置に位置登録の能力があるか、つまり、図６の在圏加入者登録テーブルに空きがあるかを判別し、位置登録の能力がない場合には位置登録不可の応答を行い、位置登録の能力がある場合にはステップＳ４に進む。
【００３８】
ステップＳ４でＶＬＲ１４は受信した位置登録要求からセル情報を取り出してステップＳ５に進み、ノード能力判定機能３１はノード能力判定処理を実行する。
【００３９】
図１４は、ノード能力判定処理のフローチャートを示す。同図中、ステップＳ５０で位置登録要求から取り出したセル情報のセル番号でセル／ＲＮＣ変換テーブル３５を検索して、当該セル番号に対応するＲＮＣ番号を得る。また、ステップＳ５１で、このＲＮＣ番号からＲＮＣ／ＭＳＣ変換テーブル３６を検索して、当該ＲＮＣ番号に対応するＭＳＣ番号を得る。
【００４０】
更に、ステップＳ５２で上記ＲＮＣ／ＭＳＣ変換テーブル３６を検索して得たＭＳＣ番号で在圏加入者登録テーブル３４を検索し、ステップＳ５３で当該ＭＳＣ番号の交換局の位置登録数が位置登録許容数未満であり在圏許容か否かを判別する。
【００４１】
在圏許容であればステップＳ５５で上記セル／ＲＮＣ変換テーブル３５及びＲＮＣ／ＭＳＣ変換テーブル３６を検索して得たＲＮＣ番号とＭＳＣ番号で在圏加入者登録テーブル３４を検索し、ステップＳ５６で当該ＲＮＣ番号の制御局の位置登録数が位置登録許容数未満であり在圏許容か否かを判別する。
【００４２】
在圏許容であればステップＳ５７で受信した位置登録要求に従う位置登録を行って移動端末１０ａに位置登録応答を行い、ステップＳ５８で在圏加入者登録テーブル３４のＭＳＣテーブル２０ａとＲＮＣテーブル２０ｂの位置登録数を更新し、ＭＳテーブル２０ｃを更新して処理を終了する。
【００４３】
一方、ステップＳＳ５３又はＳ５６で在圏許容されなければステップＳ５９において位置登録のｃａｕｓｅ情報に「一時拒否」を設定し、ステップＳ６０で受信した位置登録要求を拒否する位置登録応答を移動端末１０ａに対し行って処理を終了する。
【００４４】
なお、上記の位置登録応答はＶＬＲ１４から移動端末１０ａに送信されるが、この間のＭＳＣ１３ａにて図８には示していないがプロトコル変換される。ここで、ＶＬＲとＭＳＣ間の位置登録応答は図１３（Ａ）に示す位置登録要求と同一である。また、ＭＳＣと移動端末間の位置登録応答に設定されるｃａｕｓｅ情報を図１１（Ｂ）に示す。上記の「一時拒否」は本発明で新たに設定されている。
【００４５】
図８において、ＭＳ１０ａはｃａｕｓｅ情報が「一時拒否」の位置登録応答を受信すると、再位置登録要求機能２１と強制位置登録セル設定機能２２が図８のステップＳ６で位置登録新情報設定処理を実行する。
【００４６】
図１５は、再位置登録要求処理及び位置登録新情報設定処理のフローチャートを示す。同図中、再位置登録要求機能２１は、ステップＳ７０で受信した位置登録応答のｃａｕｓｅ情報が「一時拒否」であるか否かを判別し、「一時拒否」でなければステップＳ７１で通常処理つまり位置登録の処理を実行する。
【００４７】
「一時拒否」であればステップＳ７２で次選択セル（一時拒否されたセルの次に受信電波が強く、かつ、一時拒否されていないセル）の有無を判別し、次選択セルがあればステップＳ７３で受信した電波のセル番号（次選択セル）をセル情報として位置登録要求に設定し、ステップＳ７４でこの位置登録要求を送信する。上記のステップＳ７３，Ｓ７４が図８のステップＳ７に対応する。
【００４８】
次選択セルがない場合、強制位置登録セル設定機能２２は、ステップＳ７５で強制フラグ（強制位置登録指示情報）を設定し、ステップＳ７６で電波を受信できる任意のセルのセル番号をセル情報として位置登録要求に設定し、ステップＳ７７でこの位置登録要求を送信する。上記のステップＳ７５，Ｓ７６が図８のステップＳ８に対応する。
【００４９】
ＭＳＣ１３ａは上記の位置登録要求を受信すると、位置登録新情報設定機能２５が図８のステップＳ２で位置登録新情報設定処理を実行する。位置登録新情報設定処理は図１２に示すとおりである。
【００５０】
ＭＳＣ１３ａから位置登録要求を供給されたＶＬＲ１４は図９のステップＳ１０で強制フラグが設定されてた強制位置登録であるか否かを判別し、強制位置登録である場合には在圏加入者設定機能３３はステップＳ１１で在圏加入者設定処理を実行し、在圏加入者間引き機能３２はステップＳ１２で在圏加入者間引き処理を実行する。
【００５１】
図１６は、在圏加入者設定処理のフローチャートを示す。同図中、ステップＳ８０で位置登録要求から取り出したセル情報のセル番号でセル／ＲＮＣ変換テーブル３５を検索して、当該セル番号に対応するＲＮＣ番号を得る。また、ステップＳ８１で、このＲＮＣ番号からＲＮＣ／ＭＳＣ変換テーブル３６を検索して、当該ＲＮＣ番号に対応するＭＳＣ番号を得る。
【００５２】
更に、ステップＳ８２で上記セル／ＲＮＣ変換テーブル３５及びＲＮＣ／ＭＳＣ変換テーブル３６を検索して得たＲＮＣ番号とＭＳＣ番号で在圏加入者登録テーブル３４を検索し、ステップＳ８３で受信した位置登録要求に従う位置登録を行って移動端末１０ａに位置登録応答を行い、ステップＳ８４で在圏加入者登録テーブル３４のＭＳＣテーブル２０ａとＲＮＣテーブル２０ｂの位置登録数を更新し、ＭＳテーブル２０ｃを更新して処理を終了する。
【００５３】
図１７は、在圏加入者間引き処理のフローチャートを示す。同図中、ステップＳ９０では図１６の処理で求めたＭＳＣ番号で在圏加入者登録テーブル３４を検索し、当該ＭＳＣ番号の交換局の位置登録数が位置登録許容数未満であり在圏許容か否かを判別する。
【００５４】
当該交換局における在圏許容であれば、当該ＭＳＣの在圏加入者を間引くＲＮＣを探すためにステップＳ９１に進む。ステップＳ９１では図１６の処理で求めた強制位置登録を要求した移動端末に対応するＲＮＣ番号とＭＳＣ番号で在圏加入者登録テーブル３４を検索し、該当するＭＳテーブル２０ｃを得る。
【００５５】
ここで、例えば図２に示すように、ＲＮＣ１２ｂ，セル＃４，＃５，＃６，＃７に在圏する移動端末１０ａが強制位置登録を行ったモデルとして説明する。
【００５６】
ステップＳ９２〜Ｓ９８のループはＲＮＣ１２ｂに在圏する移動端末それぞれについて実行され、ステップＳ９３〜Ｓ９７のループはセル＃４，＃５，＃６，＃７に在圏する移動端末それぞれについて実行される。
【００５７】
ステップＳ９４では、強制位置登録を行った移動端末１０ａが在圏するセル＃４，＃５，＃６，＃７のセル番号を１つ選択し、このセル番号で図７（Ａ）のセル／ＲＮＣ変換テーブル３５を検索してＲＮＣ番号を読み出し、ステップＳ９５で強制位置登録を要求した移動端末のＲＮＣ番号（＃２）と同一のＲＮＣ番号であるか否かを判別する。
【００５８】
ここでは、各セル番号で図７（Ａ）のセル／ＲＮＣ変換テーブル３５を検索して得たＲＮＣ番号が＃１，＃３ならばＮＯ、＃２ならばＹＥＳである。同一のＲＮＣ番号であればステップＳ９７に進む。
【００５９】
同一のＲＮＣ番号でなければステップＳ９６で上記の図７（Ａ）のセル／ＲＮＣ変換テーブル３５を検索して得たＲＮＣ番号（＃１，＃３）で図６のＲＮＣテーブル２０ｂを検索して、該当するＲＮＣの位置登録許容毎数及び位置登録数から当該ＲＮＣに在圏が許容されるか否かを判別する。ここでは位置登録許容数>位置登録数ならば、在圏が許容される。在圏が許容されない場合はステップＳ９７に進み、在圏が許容された場合はステップＳ９９に進む。
【００６０】
ステップＳ９９では、ステップＳ９４で選択したセル番号に在圏する移動端末（強制位置登録を要求した移動端末１０ａを除く）を１つ選択し、この移動端末を間引くために、ページング要求のｃａｕｓｅ情報に「新規登録」を設定し、ステップＳ１００で上記ページング要求を選択した移動端末に対し送信する。
【００６１】
なお、上記のページング要求はＶＬＲ１４から移動端末１０ａに送信されるが、この間のＭＳＣ１３ａにて図９には示していないがプロトコル変換される。ここで、ＶＬＲとＭＳＣ間のページング要求のｃａｕｓｅ情報を図１３（Ｂ）に示し、また、ＭＳＣと移動端末間のページング要求のｃａｕｓｅ情報を図１３（Ｃ）に示す。上記の「新規登録」は本発明で新たに設定されている。
【００６２】
一方、ステップＳ９０で当該交換局における在圏が許容されない場合には、当該ＭＳＣ以外のＭＳＣの在圏加入者を間引くＭＳＣを探すためにステップＳ１０１に進む。ステップＳ１０１では、図１６の処理で求めた強制位置登録を要求した移動端末に対応するＭＳＣ番号で在圏加入者登録テーブル３４を検索し、該当するＲＮＣテーブルを得る。
【００６３】
ここで、例えば図２に示すように、ＭＳＣ１３ａ，１３ｂ，セル＃１〜＃７に在圏する移動端末１０ｂが強制位置登録を行ったモデルとして説明する。
【００６４】
ステップＳ１０２〜Ｓ１１０のループはＭＳＣ１３ａ，１３ｂの配下にあるＲＮＣ１２ａ〜１２ｃについて実行され、ステップＳ１０３〜Ｓ１０９のループはＲＮＣ１２ａ〜１２ｃに在圏する移動端末それぞれについて実行され、ステップＳ１０４〜Ｓ１０８のループはセル＃１〜＃７それぞれについて実行される。
【００６５】
ステップＳ１０５では強制位置登録を行った移動端末１０ｂａが在圏するセル＃１〜＃７のセルセル番号を１つ選択し、このセル番号で図７（Ａ），（Ｂ）のセル／ＲＮＣ変換テーブル３５及びＲＮＣ／ＭＳＣ変換テーブル３６を検索してＭＳＣ番号を読み出し、ステップＳ１０６で強制位置登録を要求した移動端末１０ｂのＭＳＣ番号（＃１）と同一のＭＳＣ番号であるか否かを判別する。
【００６６】
ここでは、各セル番号で図７（Ａ），（Ｂ）を検索して得たＭＳＣ番号が＃１ならばＹＥＳ、＃２ならばＮＯである。同一のＭＳＣ番号であればステップＳ１０８に進む。
【００６７】
同一のＭＳＣ番号でなければステップＳ１０７で上記の図７（Ａ），（Ｂ）を検索して得たＭＳＣ番号（＃２）で図６のＭＳＣテーブル２０ａを検索して、該当するＭＳＣの位置登録許容毎数及び位置登録数から当該ＭＳＣに在圏が許容されるか否かを判別する。ここでは位置登録許容数>位置登録数ならば、在圏が許容される。在圏が許容されない場合はステップＳ１０８に進み、在圏が許容された場合はステップＳ１１１に進む。
【００６８】
ステップＳ１１１ではステップＳ１０４で選択したセル番号に在圏する移動端末（強制位置登録を要求した移動端末１０ｂを除く）を１つ選択し、この移動端末を間引くために、ページング要求のｃａｕｓｅ情報に「新規登録」を設定し、ステップＳ１１２で上記ページング要求を選択した移動端末に対し送信する。
【００６９】
なお、上記のページング要求はＶＬＲ１４から移動端末１０ａに送信されるが、この間のＭＳＣ１３ａにて図９には示していないがプロトコル変換される。ここで、ＶＬＲとＭＳＣ間のページング要求のｃａｕｓｅ情報を図１３（Ｂ）に示し、また、ＭＳＣと移動端末間のページング要求のｃａｕｓｅ情報を図１３（Ｃ）に示す。
【００７０】
ＶＬＲ１４から上記ページング要求を受信した移動端末は図９のステップＳ１３でページング要求のｃａｕｓｅ情報が「新規登録」であるか否かを判別し、「新規登録」である場合には、新規ページング機能２３はステップＳ１４で新規ページング要求処理を行い、位置登録セル設定機能２０はステップＳ１５で位置登録セル設定処理を実行する。
【００７１】
図１８は、新規ページング要求処理のフローチャートを示す。同図中、ステップＳ１２０で受信したページング要求のｃａｕｓｅ情報が「新規登録」であるか否かを判別し、「新規登録」でなければステップＳ１２１で通常処理つまりページングの処理を実行する。
【００７２】
「新規登録」であればステップＳ１２２で無線基地局からセル情報を受信して位置登録可能なセルから現在位置登録しているセルを除いて任意のセルを選択し、選択したセルのセル番号をセル情報として位置登録要求に設定し、ステップＳ１２３でこの位置登録要求を送信する。
【００７３】
ステップＳ１５の位置登録セル設定処理は図１０に示すとおりである。ＶＬＲ１４から上記ページング要求を受信した移動端末が１０ｂでセル＃７を選択した場合、図９のステップＳ１５で送信される位置登録要求にはセル情報（セル＃７）が設定されてＢＴＳ１１ｄ，ＲＮＣ１２ｃを経てＭＳＣ１３ｂに供給される。ＭＳＣ１３ｂではステップＳ１６で図１２の位置登録新情報設定処理を実行する。
【００７４】
このように、移動端末から位置登録要求があると、ＭＳＣ毎及びＲＮＣ毎に在圏許容か否かを判断し、ＲＮＣで在圏許容されない場合は他のＲＮＣ配下のセルに再位置登録し、ＭＳＣで在圏許容されない場合は他のＭＳＣ配下のセルに再位置登録する。更に、再位置登録ができない場合には強制位置登録を行って他の移動端末を別のセルに位置登録させることにより、一定エリアに加入者が集中した場合に発信不可状態となることを低減することが可能となる。
【００７５】
このため、在圏加入者がセル毎に均等に配備されるため、発信などの局所集中がなくなる。また、ＲＮＣやＭＳＣ等の交換機の設備投資を行う際に、一定エリアに加入者のアクセスが集中することを考慮して設備を大規模化する必要がなくなり、設備投資を軽減することができる。
【００７６】
なお、位置登録セル設定機能２０が請求項に記載の位置登録要求手段に相当し、在圏加入者登録テーブル３４が管理テーブルに相当し、ノード能力判定機能３１がノード能力判定手段と更新手段と応答手段に相当し、再位置登録要求機能２１が再位置登録要求手段に相当し、在圏加入者間引き機能３２が強制位置登録要求手段に相当し、強制位置登録セル設定機能２２が強制更新手段に相当し、新規ページング機能２３がページング要求手段に相当し、位置登録セル設定機能２０が新規位置登録要求手段に相当し、位置登録新情報設定機能２５が位置登録要求送受信手段に相当する。
【図面の簡単な説明】
【００７７】
【図１】従来の位置登録方法の一例の動作シーケンスである。
【図２】本発明が適用される移動通信システムの一実施形態の構成図である。
【図３】本発明に適用される移動端末の一実施形態の機能構成図である。
【図４】本発明に適用される交換局の一実施形態の機能構成図である。
【図５】本発明に適用されるＶＬＲの一実施形態の機能構成図である。
【図６】在圏加入者登録テーブル３３の一実施形態を示す図である。
【図７】セル／ＲＮＣ変換テーブルとＲＮＣ／ＭＳＣ変換テーブルを示す図である。
【図８】位置登録方法の一実施形態の動作シーケンスである。
【図９】位置登録方法の一実施形態の動作シーケンスである。
【図１０】位置登録セル設定処理のフローチャートである。
【図１１】パラメータ情報とｃａｕｓｅ情報を示す図である。
【図１２】位置登録新情報設定処理のフローチャートである。
【図１３】パラメータ情報とｃａｕｓｅ情報を示す図である。
【図１４】ノード能力判定処理のフローチャートである。
【図１５】再位置登録要求処理及び位置登録新情報設定処理のフローチャートである。
【図１６】在圏加入者設定処理のフローチャートである。
【図１７】在圏加入者間引き処理のフローチャートである。
【図１８】新規ページング要求処理のフローチャートである。
【符号の説明】
【００７８】
１０ａ，１０ｂ  移動端末（ＭＳ）
１１ａ〜１１ｅ  無線基地局（ＢＴＳ）
１２ａ〜１２ｃ  制御局（ＲＮＣ）
１３ａ，１３ｂ  交換局（ＭＳＣ）
１４  ＶＬＲ
２０  位置登録セル設定機能
２１  再位置登録要求機能
２２  強制位置登録セル設定機能
２３  新規ページング機能
２５  位置登録新情報設定機能
３０  ＶＬＲ能力判定機能
３１  ノード能力判定機能
３２  在圏加入者間引き機能
３３  在圏加入者設定機能
３４  在圏加入者登録テーブル
３５  セル／ＲＮＣ変換テーブル
３６  ＲＮＣ／ＭＳＣ変換テーブル
【図１】
2008177743.tif 000003
【図２】
2008177743.tif 000004
【図３】
2008177743.tif 000005
【図４】
2008177743.tif 000006
【図５】
2008177743.tif 000007
【図６】
2008177743.tif 000008
【図７】
2008177743.tif 000009
【図８】
2008177743.tif 000010
【図９】
2008177743.tif 000011
【図１０】
2008177743.tif 000012
【図１１】
2008177743.tif 000013
【図１２】
2008177743.tif 000014
【図１３】
2008177743.tif 000015
【図１４】
2008177743.tif 000016
【図１５】
2008177743.tif 000017
【図１６】
2008177743.tif 000018
【図１７】
2008177743.tif 000019
【図１８】
2008177743.tif 000020